(57)【要約】【課題】領域毎に調光しても輝度階調低下やコントラスト劣化を防止し、また、領域ムラが視認されにくい面状照明装置、およびこれを備えた液晶表示装置を提供する。【解決手段】面状照明装置は、複数の光源１６と、光源からの光を受ける拡散層１４とを備え、拡散層は光源に対して非接触に設けられ、光源から拡散層までの最短の間隔をＤとするとき、Ｄ≦８ｍｍである。【選択図】    図１
2011065891.tif 000002
【特許請求の範囲】
【請求項１】
複数の光源と、前記光源からの光を受ける拡散層とを備え、前記拡散層は前記光源に対して非接触に設けられ、前記光源から前記拡散層までの最短の間隔をＤとするとき、  
Ｄ≦８ｍｍであることを特徴とする面状照明装置。
【請求項２】
前記光源と前記拡散層との間に設けられ、前記光源からの光を一部反射し一部透過する少なくとも１層の反射透過膜を備えることを特徴とする請求項１に記載の面状照明装置。
【請求項３】
前記光源の近傍に設けられ、前記光源から出た光を横方向へ拡散させる光学レンズ系を備えることを特徴とする請求項１に記載の面状照明装置。
【請求項４】
前記光源の近傍に設けられ、前記光源から出た光を横方向へ拡散させる反射体あるいは散乱体を備えることを特徴とする請求項１に記載の面状照明装置。
【請求項５】
前記１つの光源が形成する輝度プロファイルは、等輝度線が光源配列の規則性に合わせて非円形になっていることを特徴とする請求項１ないし４のいずれか１項に記載の面状照明装置。
【請求項６】
複数の光源と、前記光源からの光を受ける拡散層と、前記光源と拡散層との間に設けられ、光を一部反射し一部透過する少なくとも１層の反射透過膜と、前記光源と反射透過膜との間に設けられた少なくとも１層の導光層と、を備え、
前記導光層の１ｍｍあたりの透過率Ｔは、Ｔ≦９０％であることを特徴とする面状照明装置。
【請求項７】
前記光源から前記拡散層までの最短の間隔をＤとするとき、Ｄ≦８ｍｍとなることを特徴とする請求項６に記載の面状照明装置。
【請求項８】
前記導光層の透過率は、前記導光層内に分散され前記導光層の母材と屈折率の異なる粒子、あるいは気泡、もしくは導光層表面の凸凹、あるいは導光層内部の空隙により規定されていることを特徴とする請求項６に記載の面状照明装置。
【請求項９】
前記１つの光源が形成する輝度プロファイルは、隣接する前記光源あるいは一括調光される光源グループの境界においてなだらかに輝度が減衰し、隣接する領域に拡がることを特徴とする請求項１ないし８のいずれか１項に記載の面状照明装置。
【請求項１０】
前記１つの光源が形成する輝度プロファイルは、隣接する前記光源間あるいは一括調光される前記光源グループ間の境界において遮られることなく全面に渡って拡がっていることを特徴とする請求項１ないし９のいずれか１項に記載の面状照明装置。
【請求項１１】
前記光源は、点状の光源であることを特徴とする請求項１ないし１０のいずれか１項に記載の面状照明装置。
【請求項１２】
前記１つの光源のみをフル階調で点灯したときの中心輝度に対して輝度が１／１００に減衰する距離が、前記１つの光源から２０ｍｍ以内であることを特徴とする請求項１ないし１１のいずれか１項に記載の面状照明装置。
【請求項１３】
前記光源の発光量を、前記光源毎、もしくは隣接する複数の光源を１光源ユニットとするユニット毎に、部分調整する発光量調整部を備えている請求項１ないし１２のいずれか１項に記載の面状照明装置。
【請求項１４】
前記１つの光源ユニットをフル階調で点灯したときの輝度プロファイルの中心輝度は、全光源ユニットをフル階調で点灯したときの輝度の３５％以上であることを特徴とする請求項１３に記載の面状照明装置。
【請求項１５】
液晶表示パネルと、
前記液晶表示パネルの背面に対向して配置され、前記液晶表示パネルに光を照射する請求項１ないし１４のいずれか１項に記載の面状照明装置と、
を備えた液晶表示装置。
【発明の詳細な説明】
【技術分野】
【０００１】
本発明は、ＬＥＤなどの点光源を用いた薄型の面状照明装置、およびこれを備えた液晶表示装置に関する。
【背景技術】
【０００２】
面状照明装置は、光源から出た光を平面状の放射面から放射する装置である。このような面照明装置はそれ自体で照明装置として使用される他に、液晶表示パネルと組合わせて液晶表示装置にも使われている。
【０００３】
最近の傾向として、水銀レスの観点から面状照明装置の光源は、従来主流の陰極線管からＬＥＤに置き換える動きが盛んである。一般に、面状照明装置は、ＬＥＤ基板に実装されたＬＥＤと、これらの光源と間隔Ｄを隔てて配置された拡散層とを備えている。点光源であるＬＥＤは、所定の配列ピッチでＬＥＤ基板の全面に渡ってマトリックス状に配置されている。各々の光源から出た光は、間隔Ｄの空間を拡がることで拡散層上にて他の光源からの光と重ね合わされ、全面に亘って照度が均一となるように構成されている。これにより、拡散層から前面に放射される光は、全面に亘り均一な輝度で照明する。
【０００４】
また、大型の液晶表示装置において、点光源を用いた面状照明装置を駆動する技術として、ローカルディミングと呼ばれる技術が導入される傾向にある（例えば、特許文献１）。ローカルディミングは、個々の点光源あるいは複数の点光源グループの発光量を個別に調光するもので、画像表示装置のコントラストと消費電力を飛躍的に改善する技術である。
【０００５】
ローカルディミングによる改善効果と従来の課題を説明する。ここでは、例えば、夜空に三日月を表示した画面を想定し、ローカルディミングと従来駆動（非ローカルディミング）とを比較する。面状照明装置は、マトリックス状に配置した点光源あるいは点光源グループからなる複数の調光エリアに分割され、ローカルディミング駆動では表示画像に合わせて調光エリア毎に必要輝度に調光される。
【０００６】
従来駆動（非ローカルディミング）では、表示画像によらず、面状照明装置は全面に亘って最大輝度で駆動されるため、消費電力が大きくなる。５０インチクラスの液晶表示装置において、ＬＥＤ光源の消費電力は、標準的な５００ｃｄ／ｍ２表示の場合で２００〜３００Ｗにもなり、液晶表示装置の全電力の８割程度を占める。
【０００７】
一方、ローカルディミングにおいては、表示画像として必要とされるだけの発光量しか駆動しないため、ＬＥＤ光源の消費電力が大きく低減する。例えば、三日月の画像では発光領域が非常に小さいため、光源の消費電力は概ねゼロとなる。また、一般的な放送画像であっても、従来駆動に比較して、消費電力は半分程度にまで低減される。従来駆動では黒画像表示においても面状照明装置全体が発光しているため、液晶表示パネルを漏れ出た光で画面が白浮きしてコントラストが劣化し、１:１０００程度が限界であった。これについても、ローカルディミングでは、黒画像表示時、面状照明装置自体が暗くなるため、コントラスト比は実質的に１：１０００００レベルまで改善し、暗い部屋の中でも黒画像表示が可能となる。
【０００８】
しかしながら、従来の面状照明装置を用いたローカルディミング駆動では、以下に述べる２つの改善すべき課題が残されている。  
その１つが、部分点灯時の輝度階調低下である。これは、発光している調光エリアが少ないときに起こる現象で、発光している調光エリアから外側へ光が漏れるために該当する調光エリアの輝度が低下していく現象である。従来の面状照明装置において、例えば、５１２分割したローカルディミング駆動で１エリアだけ点灯させたときの輝度は、面状照明装置を全点灯した時の１エリアの輝度に対し１０〜２０％程度に落ちてしまう。このため、黒の多い画像では三日月部分の輝き感が著しく損なわれる。
【０００９】
他の１つは、コントラストである。前述の説明では、ローカルディミングによりコントラストが１：１０００００になると述べたが、これは点灯した領域とそこから遠くに離れた領域での輝度差である。実際の表示では、近接した領域間の輝度差（コントラスト）が重要であり、調光エリアから外側へ光が漏れると、本来黒であるべき領域が白浮きしてしまい、コントラストは劣化する。例えば、５１２分割したローカルディミング駆動で１エリアだけ点灯させた場合、該当エリア端から２０ｍｍ離れた場所の漏れ光による輝度は、該当エリア中心輝度の５０％程度もある。このため、近接した領域間でのコントラストが十分に確保できていない。
【００１０】
また、他の面状照明装置として、点光源を反射膜で囲い込み、上側の透過反射膜で光源毎の輝度均一性を確保し、これらの点光源を複数並べて構成された面状照明装置が提案されている（例えば、特許文献２）。
【００１１】
しかしながら、このような面状照明装置では、光源毎に反射壁で囲う構成で光源毎の独立性が高いため、幾つかの問題を生じる。第一に、面状照明装置をローカルディミング駆動の液晶表示装置に用いた場合、調光階調を変えた光源間の境界で輝度の変化がはっきりと視認されてしまう。これは反射側壁部分で輝度が急激に変化するためで、この境界ムラを目立たなくさせるにはなだらかな隣接領域へ漏れ出して減衰するようなプロファイルが必須である。第二に、光源は個々の色度や輝度のばらつきをもっているため、全面に亘って均一な電力で点灯する面状照明装置においては、光源間の境界で色度あるいは輝度の急激な変化が視認されてしまう。光源間の色度や輝度の差を小さくするように光源の仕様を限定する場合、コストアップを招いてしまう。これを回避するためには、隣接領域への自然な光漏れ出しにより色度、輝度の境界での変動をなだらかにする必要がある。
【先行技術文献】
【特許文献】
【００１２】
【特許文献１】特許第２５８２６４４号公報
【特許文献２】特開２００８−２７８８６号公報
【発明の概要】
【発明が解決しようとする課題】
【００１３】
以上のように、面状照明装置の光源としてＬＥＤのような点光源を複数配置して、これらを個々の領域毎に調光して均一輝度だけでなく任意の輝度分布でも照明できるようにする面状照明装置が求められている。しかしながら、従来の面状照明装置では、１つの調光エリアから隣接する領域に漏れ出す光量が多く、部分点灯領域での輝度が低下したり、あるいは、近接領域間でのコントラストが劣化する課題がある。また、これらを解決しようとすれば、領域間の境界がムラとして視認される課題がある。
【００１４】
この発明は以上の点に鑑みなされたもので、その目的は、領域毎に調光しても輝度階調低下やコントラスト劣化を防止し、また、領域ムラが視認されにくい面状照明装置、およびこれを備えた液晶表示装置を提供することにある。
【課題を解決するための手段】
【００１５】
上記課題を達成するため、この発明の態様に係る面状照明装置は、複数の光源と、光源からの光を受ける拡散層とを備え、前記拡散層は前記光源に対して非接触に設けられ、前記光源から前記拡散層までの間隔をＤとするとき、Ｄ≦８ｍｍとしている。
【００１６】
この発明の他の態様に係る面状照明装置は、複数の光源と、光源からの光を受ける拡散層と、前記光源と拡散層との間に設けられ、光を一部反射し一部透過する少なくとも１層の反射透過膜と、前記光源と反射透過膜との間に設けられた少なくとも１層の導光層と、を備え、前記導光層の１ｍｍあたりの透過率Ｔは、Ｔ≦９０％としている。
【発明の効果】
【００１７】
以上の構成によれば、調光エリア毎に輝度分布を変えても所望の輝度階調からの低下や領域ムラを視認しにくくなる面状照明装置、およびこれを用いた液晶表示装置を提供することができる。
【図面の簡単な説明】
【００１８】
【図１】図１は、この発明の第１の実施形態に係る面状照明装置を備えた液晶表示装置を示す断面図。
【図２】図２は、比較例に係る面状照明装置を示す断面図。
【図３】図３は、光源と拡散層との間隔Ｄを変えたときの１光源輝度プロファイルの輝度減衰を示す図。
【図４】図４は、実測した間隔Ｄと１調光エリア点灯輝度率の関係を示す図。
【図５】図５は、本実施形態に係る面状照明装置および液晶表示パネルの表示状態と、比較例に係る従来のローカルミディングによる面状照明装置および液晶表示パネルの表示状態と、を比較して示す図。
【図６】図６は、この発明の第２の実施形態に係る面状照明装置を備えた液晶表示装置を示す断面図。
【図７】図７は、導光層の透過率と光の減衰との関係を示す図。
【図８】図８は、前記第１および第２の実施形態に係る面状照明装置の光源の等輝度形状を概略的に示す図。
【図９】図９は、比較例に係る面状照明装置の光源の等輝度形状を概略的に示す図。
【発明を実施するための形態】
【００１９】
以下、図面を参照しながら、この発明の実施形態に係る面状照明装置を備えた液晶表示装置について詳細に説明する。  
図１は、第１の実施形態に係る面状照明装置を備えた液晶表示装置を示す断面図である。図１に示すように、液晶表示装置は、矩形状の液晶表示パネル３０、およびこの液晶表示パネル３０の背面側に対向して配設された面状照明装置２０を備えている。
【００２０】
液晶表示パネル３０は、矩形状のアレイ基板３２、アレイ基板３２と隙間を置いて対向配置された矩形状の対向基板３４、およびこれらアレイ基板３２と対向基板３４との間に封入された液晶層３６を備えている。面状照明装置２０は、液晶表示パネル３０に対応した大きさの矩形面状に形成され、液晶表示パネル３０のアレイ基板３２と隣接対向して設けられている。
【００２１】
面状照明装置２０は、矩形状の回路基板１０と、この回路基板１０の上面に形成され光を乱反射あるいは拡散反射する下側反射膜１２と、下側反射膜２３を介して回路基板１０上に配設された多数のＬＥＤ１６と、ＬＥＤ１６の上方に配設されＬＥＤと間隔Ｄを置いて対向した矩形状の拡散層１４と、を備えている。拡散層１４のＬＥＤ側に光を一部透過し一部反射する透過反射膜１８が設けられている。下側反射膜１２と透過反射膜１８との間には導光層２１が挟まれている。導光層２１は、透明に形成され、あるいは、空気により形成されている。拡散層１４および回路基板１０の外周部は、図示しないフレームにより保持される。
【００２２】
点光源であるＬＥＤ１６は、配列ピッチＬで回路基板１０の全面に渡ってマトリックス状に配置され、回路基板１０に電気的に接続されている。各ＬＥＤ１６は、透過反射膜１８に向けて光を照射する。面状照明装置２０は、拡散層１４が液晶表示パネル３０の背面と対向した状態で配設されている。面状照明装置２０から出射された光は、液晶表示パネル３０を透過することで画像表示を行う。
【００２３】
面状照明装置２０は、ＬＥＤ１６の点灯を制御する制御部２２を有している。この制御部２２は、回路基板１０に接続されるとともに、液晶表示装置の図示しない主制御部に接続されている。制御部２２は、液晶表示装置の主制御部から送られた映像輝度信号に基づき、ＬＥＤ１６毎に、あるいは、隣接する複数のＬＥＤ１６を１ユニットとして、この１ユニット毎に、発光量を調整する発光量調整部２４を備えている。すなわち、制御部２２は、複数のＬＥＤ１６を個別に駆動するローカルミディングによって、映像情報に合わせて面状照明装置２０の調光を行う。
【００２４】
全面を複数の調光エリアに分割して点灯駆動する面状照明装置において、１調光エリアだけ点灯したときに全点灯時の輝度よりも輝度が劣化することを述べたが、これは該当する点光源が該当するエリアのみならず隣接するエリアにまで光を供給しているためである。
【００２５】
図２は、比較例に係る面状照明装置を示し、ＬＥＤから拡散層上の点Ｐに到達する光を示している。この面状照明装置は、矩形状の回路基板１０と、この回路基板１０の上面に形成され光を乱反射あるいは拡散反射する下側反射膜１２と、下側反射膜２１３を介して回路基板１０上に配設された多数のＬＥＤ１６と、ＬＥＤ１６の上方に配設され下側反射膜１２と間隔Ｄを置いて対向した矩形状の拡散層１４と、を備えている。ＬＥＤ１６は、配列ピッチＬで回路基板１０の全面に渡ってマトリックス状に配置されている。
【００２６】
拡散層１４上の点Ｐの位置は、ＬＥＤ１６の光軸に対する面方向距離ｒ、ＬＥＤと拡散層１４との間隔ＤだけＬＥＤから離れ、幾何学的な光線移動距離は、√（ｒ2＋Ｄ2）である。点ＰでのＬＥＤ１６からの照度は、光線移動距離の自乗に逆比例するため、    １／（ｒ2＋Ｄ2）  に比例する。これは点光源が有する配光分布を全く無視した理論計算であるが、漏れ出しを考えるうえでの本質を含んでおり、点光源から減衰する輝度プロファイルでは実測とほぼ一致することが実験で確かめられている。
【００２７】
この式を解釈することにより、該当する調光エリアに極力光を集中させ隣接するエリアに極力光を漏れ出さないようにするには、ＬＥＤ１６と拡散層１４との間隔Ｄを極力小さくする必要がある。
【００２８】
図３は、間隔Ｄを変えたときの１光源輝度プロファイルの輝度減衰を示している。横軸は面方向距離ｒを、縦軸は中心輝度を１とした相対輝度を示している。  
従来方式では、最近になって光源部にレンズを取り付けて光を拡散させることで間隔Ｄを小さくする技術も出始めているが、この場合でも間隔Ｄは１５ｍｍ程度となる。図３から分かるように、点灯領域から２０ｍｍ離れた場所では中心輝度の半分程度の輝度があり、漏れによる中心輝度の低下や近傍でのコントラスト劣化を招く。
【００２９】
一方、この間隔Ｄを小さくしていくと、図３に示すように、減衰が大きくなり隣接への漏れが抑制されていくことが分かる。点光源から面方向に２０ｍｍ離れたところでコントラスト比１：１０００００を確保するには、液晶表示パネルのコントラスト比を１：１０００とすると、面状照明装置では１：１００が必要となる。図に示すように、ｒ＝２０ｍｍで１／１００まで輝度を減衰させようとすれば、間隔Ｄを２ｍｍ以下とすればよいことが分かる。
【００３０】
図１に示すように、本実施形態に係る面状照明装置によれば、拡散層１４はＬＥＤ１６に対して非接触で設けられ、ＬＥＤ１６と拡散層１４との最短の間隔Ｄを２ｍｍに設定している。拡散層１４のＬＥＤ側に、光を一部透過し一部反射する透過反射膜１８を設けられている。間隔Ｄを狭めたことによるＬＥＤのピッチムラを透過反射膜１８の透過率パターンで補償し、全面に亘って均一な面状照明装置を構成している。
【００３１】
図４は、本実施形態に係る面状照明装置において、間隔Ｄを変えたときの１エリア点灯輝度の輝度低下改善度合いを小片試作機にて実験検証したデータを示している。１エリア点灯輝度は、ローカルディミングでの１エリアのみをフル階調で点灯したときの、全領域点灯輝度を１００％とした相対輝度である。
【００３２】
従来方式では、間隔Ｄは１５ｍｍ程度までしか小さくすることができず、１エリア点灯輝度は３０％に達しなかった。  
一方、本実施形態では間隔Ｄを小さく設定することができ、従来方式で不可能であった１エリア点灯輝度を４０３５％以上にするには、間隔Ｄを６８ｍｍ以内に設定すればよいことが実験から確認されている。本実施形態のＤ＝２ｍｍでは、図４に示した小片実験値には及ばないものの、１エリア点灯輝度は５０％程度にまで改善されている。なお、隣接する調光エリア間の境界のムラについては、従来の面照明装置で生じたような問題は起こっていない。
【００３３】
図５は、本実施形態に係る面状照明装置および液晶表示パネルの表示状態と、比較例に係る従来のローカルミディングによる面状照明装置および液晶表示パネルの表示状態と、を比較して示している。ここでは、夜空に三日月を表示した画面を示している。図５（ａ）に示すように、比較例のローカルミディングでは、三日月の周囲の比較的広い範囲に亘って光が漏れ、三日月の周囲でコントラストが低いのに対して、図５（ｂ）に示すように、本実施形態に係る面状照明装置によれば、漏れ出す光量が少なく、三日月の周囲のコントラストが向上していることが分かる。
【００３４】
次に、第２の実施形態に係る面状照明装置を備えた液晶表示装置について説明する。  
図６は、本発明の第２の実施形態に係る液晶表示装置の断面図である。
【００３５】
第２の実施形態によれば、導光層２１として、導光板に光拡散粒子を分散し、１ｍｍあたりの透過率８０％の不透明な導光板を用いている。ＬＥＤ１６と拡散層１４との最短の間隔（導光層２１の厚さ）Ｄは、例えば、２ｍｍに形成されている。ここでの透過率は、ＪＩＳ規格Ｋ７３６１に示された測定方法によるもので、導光層２１の裏面から光を垂直入射させたときに前面に抜け出す光の割合である。面状照明装置の他の構成は、前述した第１の実施形態と同一であり、同一の部分には同一の参照符号を付してその詳細な説明を省略する。
【００３６】
この面照明装置では、１調光エリアのＬＥＤ１６のみを点灯したときの輝度率が６０％強にまで改善している。また、第２の実施形態においては、隣接する領域への輝度減衰を早めてコントラストを改善させている。以下に詳細を記載する。
【００３７】
１ｍｍあたりの透過率Ｔの不透明な導光層２１とすることで、輝度減衰の理論式は前述した距離による減衰に透過減衰効果を加えて  
１／（ｒ2＋Ｄ2）×ｅｘｐ（−Ｔ×｜ｒ｜）  
となる。ここで、指数項は不透明な導光層２１による光減衰効果を示しており、この減衰は導光層中を光が１ｍｍ進むごとに透過率Ｔに減衰していくことを表している。
【００３８】
図７は、輝度減衰カーブをグラフに示したものである。横軸はＬＥＤからの距離ｒ、縦軸は中心輝度を１とした相対輝度である。この図から、導光層２１の透過率を下げていくことで減衰が強まることが判る。
【００３９】
ｒ＝２０ｍｍの場所において、面状照明装置としてコントラスト比を１：１００確保しようとすると、前述した第１の実施形態では間隔Ｄを２ｍｍに設定する必要がある。第２の実施形態によれば、導光層２１の光散乱透過率による減衰が加わるため、間隔Ｄ＝２ｍｍ、透過率８０％とすると、ＬＥＤからｒ＝２０ｍｍ離れた場所の輝度は１／１００００にまで減衰する。図６より、透過率９０％の光散乱導光層を用いた場合は、１／１００に減衰させるために間隔Ｄは６ｍｍあってもよいことが分かる。また、間隔Ｄを６ｍｍ以上とした場合でも、導光層の光散乱透過率による減衰効果が得られる。
【００４０】
以上のように、点光源と拡散層１４との間隔Ｄを８ｍｍ以下に狭める、あるいは導光層２１として透過率９０％以下の光散乱性を有する導光層とすることにより、ローカルディミング駆動する面状照明装置においてｒ＝２０ｍｍ近傍でのコントラスト比１：１０００００を確保しつつ、１エリア点灯輝度を全点灯輝度の３５％以上まで改善させることができる。
【００４１】
第１の実施形態では導光層の間隔、第２の実施形態では導光層全体の不透明性を利用することで漏れ光を制御して１エリア点灯輝度を向上させたが、両者を合わせた構造としてもよい。すなわち、間隔Ｄは４ｍｍとして、この半分の２ｍｍを不透明な導光層としてもよい。この場合、不透明な導光層部分は透明な導光層部分に比べて相対的にほとんど漏れ出さないため、実質的に間隔２ｍｍの透明導光層とほぼ同じ１エリア点灯輝度を得ることができ、かつ、不透明な導光板のコストも間隔４ｍｍを全て埋める場合より半減に抑えることができる。
【００４２】
図８は、第１および第２の実施形態に係る面状照明装置におけるＬＥＤ１６が形成する等輝度線形状を示めし、図９は、比較例に係る面状照明装置におけるＬＥＤ１６が形成する等輝度線形状を示めしている。
【００４３】
第１および第２の実施形態、並びに、比較例において、点光源であるＬＥＤを縦横に配列ピッチＬで格子状に配列している。この場合、対角方向のＬＥＤ間隔が縦横方向の間隔よりも広がってしまうため、図９に示すように、等方的に輝度が減衰する円状の等輝度線では対角方向での輝度ムラが出やすい。そこで、第１および第２の実施形態では、図８に示すように、透過反射膜の１８の透過率パターンを方向毎に最適化することで、等輝度線が格子状にみあった非円形形状とし、輝度ムラが起きにくくしている。
【００４４】
図８では略矩形状の等輝度線を提示したが、これはＬＥＤ配列にあわせて変えることができる。すなわち、ＬＥＤ配列が細密六方配列であれば、等輝度線は略六角形であればよい。
【００４５】
以上のような構成とすることで、隣接領域への光漏れを適切に制御し、ローカルディミング駆動した場合でも部分点灯輝度が落ちにくく、部分的なコントラストも十分に確保できる面状照明装置を提供することができる。
【００４６】
また、第２の実施形態で示した光散乱性の導光層２１は、母材と異なる屈折率を持つ透明粒子を分散する構成としているが、透過率を制御するものであれば他の構成でもよい。例えば、導光層の透明母材に気泡を含有する構成、母材表面の凸凹、あるいは母材内部の空隙などで光を散乱する構成でもよい。
【００４７】
また、本発明の本質は、光源と拡散層との間隔Ｄを８ｍｍ以下に狭めること、あるいは導光層の透過率を９０％以下に小さくすることにより、隣接領域への光の漏れ出しに対する制御の考え方を開示したものであり、具体的な実現手段としては、第１および第２の実施形態で示した透過反射膜以外の手段で構成してもよい。例えば、光源上に取り付けた配光を拡散させるレンズや、拡散層の光源上に対応する位置にとりつけた部分反射膜、あるいは散乱部材であってもよい。
【００４８】
また、上述した実施形態では、液晶表示装置のバックライトユニットとして用いられる面状照明装置を説明したが、照明装置単体として用いられる面状照明装置であってもよい。点光源としてのＬＥＤは、白色のものでも、単色のものでも適用可能であり、ＬＥＤの種類に関して限定を受けるものではない。
【００４９】
この発明は上述した実施形態そのままに限定されるものではなく、実施段階ではその要旨を逸脱しない範囲で構成要素を変形して具体化可能である。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００５０】
１０…回路基板、１２…下側反射膜、１４…拡散層、１６…ＬＥＤ、
１８…透過反射膜、２０…面状照明装置、３０…液晶表示パネル、
３２…アレイ基板、３４…対向基板、３６…液晶層
【図１】
2011065891.tif 000003
【図２】
2011065891.tif 000004
【図３】
2011065891.tif 000005
【図４】
2011065891.tif 000006
【図５】
2011065891.tif 000007
【図６】
2011065891.tif 000008
【図７】
2011065891.tif 000009
【図８】
2011065891.tif 000010
【図９】
2011065891.tif 000011